(57)【要約】【課題】無線ＬＡＮ移動端末の場所をリアルタイムで管理する。【解決手段】無線ＬＡＮアクセスポイントＡＰ１〜ＡＰｎは、移動端末Ｍ１〜Ｍｙのアソシエート成立を位置管理サーバ３へ通知する（アクセスポイントの設置場所、移動端末のＭＡＣアドレスを通知する）。位置管理サーバ３は、該当ＭＡＣアドレスのユーザＩＤをデータベース（顧客ＤＢ）５から検索し、ユーザ毎に現在位置（アクセスポイントの場所）を記録する。【選択図】　図１
2004088440.tif 000002
【特許請求の範囲】
【請求項１】
無線通信によりネットワークに接続している移動端末を識別するためのアドレス情報と、自身の設置場所を示す位置情報とを通知するアクセスポイントと、
ネットワークを介して接続される移動端末の利用者を識別するためのユーザ識別情報毎に、前記移動端末を識別するためのアドレス情報を記憶する顧客情報記憶手段と、
前記ユーザ識別情報毎に位置情報を記憶する位置情報記憶手段と、
前記顧客情報記憶手段を参照して前記アクセスポイントから通知されるアドレス情報に対応するユーザ識別情報を特定し、該ユーザ識別情報に対応付けて前記位置情報記憶手段に記憶されている位置情報を、前記アクセスポイントから通知される位置情報で随時更新する位置管理手段と
を具備することを特徴とする位置情報管理システム。
【請求項２】
前記アクセスポイントは、前記移動端末とネットワークとの接続が確立した際に、前記移動端末を識別するためのアドレス情報と、自身の設置場所を示す位置情報とを、前記位置管理手段に通知することを特徴とする請求項１記載の位置情報管理システム。
【請求項３】
前記位置管理手段は、所定の時間間隔で、前記アクセスポイントに対して、ネットワークへ接続中である移動端末を問い合わせ、
前記アクセスポイントは、前記位置管理手段からの問い合わせに応じて、前記移動端末を識別するためのアドレス情報と、自身の設置場所を示す位置情報とを、前記位置管理手段に通知することを特徴とする請求項１記載の位置情報管理システム。
【請求項４】
移動端末の利用者を識別するためのユーザ識別情報毎に、前記移動端末を識別するためのアドレス情報を対応付けてデータベース化しておき、
所定のエリア内に存在する移動端末を無線通信によりネットワークに接続するためのアクセスポイントから、ネットワークへ接続中の移動端末を識別するためのアドレス情報と、自身の設置場所を示す位置情報とを通知し、
前記アクセスポイントから通知されるアドレス情報に基づいてデータベースを参照し、前記移動端末の利用者を識別するためのユーザ識別情報を特定し、該ユーザ識別情報に対応付けて、前記アクセスポイントから通知される位置情報を随時記憶することを特徴とする位置情報管理方法。
【請求項５】
前記アクセスポイントは、前記移動端末とネットワークとの接続が確立した際に、前記移動端末を識別するためのアドレス情報と、自身の設置場所を示す位置情報とを通知することを特徴とする請求項４記載の位置情報管理方法。
【請求項６】
前記アクセスポイントは、所定の時間間隔で発生する問い合わせに応じて、ネットワークへ接続中である移動端末を識別するためのアドレス情報と、自身の設置場所を示す位置情報とを通知することを特徴とする請求項４記載の位置情報管理方法。
【請求項７】
所定のエリア内に存在する移動端末を無線通信によりネットワークに接続するためのアクセスポイントから、ネットワークへ接続中の移動端末を識別するためのアドレス情報と、自身の設置場所を示す位置情報とを通知するステップと、
前記アクセスポイントから通知されるアドレス情報に基づいて、移動端末の利用者を識別するためのユーザ識別情報毎に、前記移動端末を識別するためのアドレス情報を対応付けたデータベースを参照し、前記移動端末の利用者を識別するためのユーザ識別情報を特定し、該ユーザ識別情報に対応付けて、前記アクセスポイントから通知される位置情報を随時記憶するステップと
をコンピュータに実行させることを特徴とする位置情報管理プログラム。
【請求項８】
所定のエリア内に存在する移動端末を無線通信によりネットワークに接続するためのアクセスポイントから、ネットワークへ接続中の移動端末を識別するためのアドレス情報と、自身の設置場所を示す位置情報とを通知するステップと、
前記アクセスポイントから通知されるアドレス情報に基づいて、移動端末の利用者を識別するためのユーザ識別情報毎に、前記移動端末を識別するためのアドレス情報を対応付けたデータベースを参照し、前記移動端末の利用者を識別するためのユーザ識別情報を特定し、該ユーザ識別情報に対応付けて、前記アクセスポイントから通知される位置情報を随時記憶するステップと
をコンピュータに実行させる位置情報管理プログラムを記録したことを特徴とする記録媒体。
【請求項９】
無線通信によりネットワークに接続している移動端末を識別するためのアドレス情報と、自身の設置場所を示す位置情報とを通知するアクセスポイントと、
ネットワークを介して接続される移動端末の利用者を識別するためのユーザ識別情報毎に位置情報を記憶する位置情報記憶手段と、前記アクセスポイントから通知されるアドレス情報と位置情報とに基づいて、前記位置情報記憶手段の位置情報を随時更新する位置管理手段と、ユーザ識別情報を伴う現在位置の問い合わせに対して、前記位置情報記憶手段から前記ユーザ識別情報に対応する位置情報を取得して通知する通知手段とを備える位置管理装置と、
広告情報を記憶する広告記憶手段と、ユーザ識別情報毎に顧客情報を記憶する顧客情報記憶手段と、前記位置管理装置に現在位置を問い合わせる問合せ手段と、前記問合せ手段による問い合わせに対して前記通知手段からの位置情報と前記顧客情報記憶手段の顧客情報とに基づいて、前記広告記憶手段に記憶されている広告情報を前記移動端末に配信する配信手段とを備える広告配信装置と
を具備することを特徴とする広告配信システム。
【請求項１０】
前記配信手段は、前記位置情報に基づいて、電子メールによってユーザの現在位置に応じた広告を配信することを特徴とする請求項９記載の広告配信システム。
【請求項１１】
前記配信手段は、前記位置情報に基づいて、Ｗｅｂページによってユーザの現在位置に応じた広告を配信することを特徴とする請求項９記載の広告配信システム。
【請求項１２】
所定のエリア内に存在する移動端末を無線通信によりネットワークに接続するためのアクセスポイントから、ネットワークへ接続中の移動端末を識別するためのアドレス情報と、自身の設置場所を示す位置情報とを通知させ、前記アクセスポイントから通知されるアドレス情報と位置情報とに基づいて、移動端末の利用者毎の位置情報を随時更新し、
前記位置情報に基づいて、広告情報を前記移動端末に配信することを特徴とする広告配信方法。
【請求項１３】
前記位置情報に基づいて、電子メールによってユーザの現在位置に応じた広告を配信することを特徴とする請求項１２記載の広告配信方法。
【請求項１４】
前記位置情報に基づいて、Ｗｅｂページによってユーザの現在位置に応じた広告を配信することを特徴とする請求項１２記載の広告配信方法。
【請求項１５】
所定のエリア内に存在する移動端末を無線通信によりネットワークに接続するためのアクセスポイントから、ネットワークへ接続中の移動端末を識別するためのアドレス情報と、自身の設置場所を示す位置情報とを通知させ、前記アクセスポイントから通知されるアドレス情報と位置情報とに基づいて、移動端末の利用者毎の位置情報を随時更新するステップと、
前記位置情報に基づいて、広告情報を前記移動端末に配信するステップと
をコンピュータに実行させることを特徴とする広告配信プログラム。
【請求項１６】
所定のエリア内に存在する移動端末を無線通信によりネットワークに接続するためのアクセスポイントから、ネットワークへ接続中の移動端末を識別するためのアドレス情報と、自身の設置場所を示す位置情報とを通知させ、前記アクセスポイントから通知されるアドレス情報と位置情報とに基づいて、移動端末の利用者毎の位置情報を随時更新するステップと、
前記位置情報に基づいて、広告情報を前記移動端末に配信するステップと
をコンピュータに実行させる広告配信プログラムを記録したことを特徴とする記録媒体。
【発明の詳細な説明】
【０００１】
【発明の属する技術分野】
本発明は、位置情報管理システム、位置情報管理方法、位置情報管理プログラム、広告配信システム、広告配信方法、広告配信プログラムおよび記録媒体に関する。
【０００２】
【従来の技術】
近年、空港や駅、ハンバーガー店などでＩＥＥＥ８０２．１１ｂやＩＥＥＥ８０２．１１ａに準拠した高速の公衆無線ＬＡＮサービスが提供されている。公衆無線ＬＡＮサービスを利用すると、利用者は、公衆無線ＬＡＮサービスエリアを移動しながらインターネットへのアクセスが可能となる。このような状況の中で、無線ＬＡＮ移動端末の場所に応じて、その付近の店の広告を流したいといった要求が発生し始めている。
【０００３】
【発明が解決しようとする課題】
しかしながら、これまで無線ＬＡＮは、主にオフィスなどを中心に利用されてきたため、移動端末の場所をリアルタイムに管理する必要がなかったこと、および管理することが技術的に困難であったことが理由で、現在の無線ＬＡＮでは、移動端末の場所をリアルタイムに管理することができない。
【０００４】
従来技術としては、Ｗｅｂブラウザからアクセスポイントにログインし、そのアクセスポイントにアソシエートしている移動端末のＭＡＣアドレスを参照する方法、ｔｅｌｎｅｔによりアクセスポイントにログインし、そのアクセスポイントにアソシエートしている移動端末のＭＡＣアドレスを参照する方法、あるいは、アクセスポイントマネージャと呼ばれるソフトウェアからＳＮＭＰにより、そのアクセスポイントにアソシエートしている移動端末のＭＡＣアドレスを参照する方法などがある。
【０００５】
しかしながら、一度にアクセスできるのは、１アクセスポイントであるため、複数のアクセスポイントの情報をリアルタイムで取得することができない。参照できるのは、アクセスポイントにアソシエートしている移動端末のＭＡＣアドレスであり、ユーザＩＤは分からない。すなわち、従来のシステムでは、移動端末のＭＡＣアドレスとユーザＩＤとを管理する機能を持たなかったため、ＭＡＣアドレスからユーザＩＤを取得することができなかった。また、従来のシステムでは、位置管理機能を持たなかったため、ユーザＩＤと位置情報とをリアルタイムで管理することができなかった。また、アクセスポイントから収集した移動端末の位置情報を自動的に記録したり、ＭＡＣアドレスからユーザＩＤを取得したりするためには、高度なプログラミングが必要であり、技術的に困難であった。
【０００６】
この発明は上述した事情に鑑みてなされたもので、無線ＬＡＮ移動端末の場所をリアルタイムで管理することができる位置情報管理システム、位置情報管理方法、位置情報管理プログラム、広告配信システム、広告配信方法、広告配信プログラムおよび記録媒体を提供することを目的とする。
【０００７】
【課題を解決するための手段】
上述した問題点を解決するために、請求項１記載の発明では、無線通信によりネットワークに接続している移動端末を識別するためのアドレス情報と、自身の設置場所を示す位置情報とを通知するアクセスポイントと、ネットワークを介して接続される移動端末の利用者を識別するためのユーザ識別情報毎に、前記移動端末を識別するためのアドレス情報を記憶する顧客情報記憶手段と、前記ユーザ識別情報毎に位置情報を記憶する位置情報記憶手段と、前記顧客情報記憶手段を参照して前記アクセスポイントから通知されるアドレス情報に対応するユーザ識別情報を特定し、該ユーザ識別情報に対応付けて前記位置情報記憶手段に記憶されている位置情報を、前記アクセスポイントから通知される位置情報で随時更新する位置管理手段とを具備することを特徴とする。
【０００８】
また、請求項２記載の発明では、請求項１記載の位置情報管理システムにおいて、前記アクセスポイントは、前記移動端末とネットワークとの接続が確立した際に、前記移動端末を識別するためのアドレス情報と、自身の設置場所を示す位置情報とを、前記位置管理手段に通知することを特徴とする。
【０００９】
また、請求項３記載の発明では、請求項１記載の位置情報管理システムにおいて、前記位置管理手段は、所定の時間間隔で、前記アクセスポイントに対して、ネットワークへ接続中である移動端末を問い合わせ、前記アクセスポイントは、前記位置管理手段からの問い合わせに応じて、前記移動端末を識別するためのアドレス情報と、自身の設置場所を示す位置情報とを、前記位置管理手段に通知することを特徴とする。
【００１０】
また、上述した問題点を解決するために、請求項４記載の発明では、移動端末の利用者を識別するためのユーザ識別情報毎に、前記移動端末を識別するためのアドレス情報を対応付けてデータベース化しておき、所定のエリア内に存在する移動端末を無線通信によりネットワークに接続するためのアクセスポイントから、ネットワークへ接続中の移動端末を識別するためのアドレス情報と、自身の設置場所を示す位置情報とを通知し、前記アクセスポイントから通知されるアドレス情報に基づいてデータベースを参照し、前記移動端末の利用者を識別するためのユーザ識別情報を特定し、該ユーザ識別情報に対応付けて、前記アクセスポイントから通知される位置情報を随時記憶することを特徴とする。
【００１１】
また、請求項５記載の発明では、請求項４記載の位置情報管理方法において、前記アクセスポイントは、前記移動端末とネットワークとの接続が確立した際に、前記移動端末を識別するためのアドレス情報と、自身の設置場所を示す位置情報とを通知することを特徴とする。
【００１２】
また、請求項６記載の発明では、請求項４記載の位置情報管理方法において、前記アクセスポイントは、所定の時間間隔で発生する問い合わせに応じて、ネットワークへ接続中である移動端末を識別するためのアドレス情報と、自身の設置場所を示す位置情報とを通知することを特徴とする。
【００１３】
また、上述した問題点を解決するために、請求項７記載の発明では、所定のエリア内に存在する移動端末を無線通信によりネットワークに接続するためのアクセスポイントから、ネットワークへ接続中の移動端末を識別するためのアドレス情報と、自身の設置場所を示す位置情報とを通知するステップと、前記アクセスポイントから通知されるアドレス情報に基づいて、移動端末の利用者を識別するためのユーザ識別情報毎に、前記移動端末を識別するためのアドレス情報を対応付けたデータベースを参照し、前記移動端末の利用者を識別するためのユーザ識別情報を特定し、該ユーザ識別情報に対応付けて、前記アクセスポイントから通知される位置情報を随時記憶するステップとをコンピュータに実行させることを特徴とする。
【００１４】
また、上述した問題点を解決するために、請求項８記載の発明では、所定のエリア内に存在する移動端末を無線通信によりネットワークに接続するためのアクセスポイントから、ネットワークへ接続中の移動端末を識別するためのアドレス情報と、自身の設置場所を示す位置情報とを通知するステップと、前記アクセスポイントから通知されるアドレス情報に基づいて、移動端末の利用者を識別するためのユーザ識別情報毎に、前記移動端末を識別するためのアドレス情報を対応付けたデータベースを参照し、前記移動端末の利用者を識別するためのユーザ識別情報を特定し、該ユーザ識別情報に対応付けて、前記アクセスポイントから通知される位置情報を随時記憶するステップとをコンピュータに実行させる位置情報管理プログラムを記録したことを特徴とする。
【００１５】
また、上述した問題点を解決するために、請求項９記載の発明では、無線通信によりネットワークに接続している移動端末を識別するためのアドレス情報と、自身の設置場所を示す位置情報とを通知するアクセスポイントと、ネットワークを介して接続される移動端末の利用者を識別するためのユーザ識別情報毎に位置情報を記憶する位置情報記憶手段と、前記アクセスポイントから通知されるアドレス情報と位置情報とに基づいて、前記位置情報記憶手段の位置情報を随時更新する位置管理手段と、ユーザ識別情報を伴う現在位置の問い合わせに対して、前記位置情報記憶手段から前記ユーザ識別情報に対応する位置情報を取得して通知する通知手段とを備える位置管理装置と、広告情報を記憶する広告記憶手段と、ユーザ識別情報毎に顧客情報を記憶する顧客情報記憶手段と、前記位置管理装置に現在位置を問い合わせる問合せ手段と、前記問合せ手段による問い合わせに対して前記通知手段からの位置情報と前記顧客情報記憶手段の顧客情報とに基づいて、前記広告記憶手段に記憶されている広告情報を前記移動端末に配信する配信手段とを備える広告配信装置とを具備することを特徴とする。
【００１６】
また、請求項１０記載の発明では、請求項９記載の広告配信システムにおいて、前記配信手段は、前記位置情報に基づいて、電子メールによってユーザの現在位置に応じた広告を配信することを特徴とする。
【００１７】
また、請求項１１記載の発明では、請求項９記載の広告配信システムにおいて、前記配信手段は、前記位置情報に基づいて、Ｗｅｂページによってユーザの現在位置に応じた広告を配信することを特徴とする。
【００１８】
また、上述した問題点を解決するために、請求項１２記載の発明では、所定のエリア内に存在する移動端末を無線通信によりネットワークに接続するためのアクセスポイントから、ネットワークへ接続中の移動端末を識別するためのアドレス情報と、自身の設置場所を示す位置情報とを通知させ、前記アクセスポイントから通知されるアドレス情報と位置情報とに基づいて、移動端末の利用者毎の位置情報を随時更新し、前記位置情報に基づいて、広告情報を前記移動端末に配信することを特徴とする。
【００１９】
また、請求項１３記載の発明では、請求項１２記載の広告配信方法において、前記位置情報に基づいて、電子メールによってユーザの現在位置に応じた広告を配信することを特徴とする。
【００２０】
また、請求項１４記載の発明では、請求項１２記載の広告配信方法において、前記位置情報に基づいて、Ｗｅｂページによってユーザの現在位置に応じた広告を配信することを特徴とする。
【００２１】
また、上述した問題点を解決するために、請求項１５記載の発明では、所定のエリア内に存在する移動端末を無線通信によりネットワークに接続するためのアクセスポイントから、ネットワークへ接続中の移動端末を識別するためのアドレス情報と、自身の設置場所を示す位置情報とを通知させ、前記アクセスポイントから通知されるアドレス情報と位置情報とに基づいて、移動端末の利用者毎の位置情報を随時更新するステップと、前記位置情報に基づいて、広告情報を前記移動端末に配信するステップとをコンピュータに実行させることを特徴とする。
【００２２】
また、上述した問題点を解決するために、請求項１６記載の発明では、所定のエリア内に存在する移動端末を無線通信によりネットワークに接続するためのアクセスポイントから、ネットワークへ接続中の移動端末を識別するためのアドレス情報と、自身の設置場所を示す位置情報とを通知させ、前記アクセスポイントから通知されるアドレス情報と位置情報とに基づいて、移動端末の利用者毎の位置情報を随時更新するステップと、前記位置情報に基づいて、広告情報を前記移動端末に配信するステップとをコンピュータに実行させる広告配信プログラムを記録したことを特徴とする。
【００２３】
この発明では、ネットワークを介して接続される移動端末の利用者を識別するためのユーザ識別情報毎に、前記移動端末を識別するためのアドレス情報を顧客情報記憶手段に、前記ユーザ識別情報毎に位置情報を位置情報記憶手段に記憶しておき、位置管理手段により、前記顧客情報記憶手段を参照して前記アクセスポイントから通知されるアドレス情報に対応するユーザ識別情報を特定し、該ユーザ識別情報に対応付けて前記位置情報記憶手段に記憶されている位置情報を、前記アクセスポイントから通知される位置情報で随時更新する。したがって、無線ＬＡＮ移動端末の場所をリアルタイムで管理することが可能となる。
【００２４】
【発明の実施の形態】
以下、図面を用いて本発明の実施の形態を説明する。
Ａ．実施形態の構成
図１は、本発明の実施形態による位置情報管理システムの構成を示すブロック図である。図１において、移動端末Ｍ１，Ｍ２，…，Ｍｘ，Ｍｙは、ノートパソコンやＰＤＡなど、ユーザに携帯され、無線（無線ＬＡＮ）によりインターネットにアクセス可能な端末である。アクセスポイントＡＰ１，ＡＰ２，…，ＡＰｎは、空港や駅、ハンバーガー店などの公衆無線ＬＡＮサービスエリアに設置され、所定エリア内の移動端末からのアクセスを受け付け、インターネットへ接続するとともに、移動端末のアソシエート成立や、自身にアソシエート中の全移動端末のＭＡＣアドレスを位置管理サーバ３に通知する（アクセスポイントの設置場所、移動端末のＭＡＣアドレスを通知する）。
【００２５】
位置管理サーバ３は、該当ＭＡＣアドレスのユーザＩＤを、データベース（顧客ＤＢ：ユーザＩＤ、ＭＡＣアドレス）５から検索し、ユーザ毎に現在位置（アクセスポイントの場所）を記録する。なお、位置管理サーバ３とデータベース（顧客ＤＢ）５とは、同一マシン上でも、別のマシン上でもよい。また、位置管理サーバ３は、内部に位置管理ＤＢ４を備えている。位置管理ＤＢ４は、図２に示すように、ユーザＩＤ毎に、現在位置（アクセスポイントの設置場所）および現在位置更新日時を格納している。
【００２６】
データベース（顧客ＤＢ）５は、図３に示すように、ユーザＩＤとＭＡＣアドレスとを対応付けて格納している。また、データベース（顧客ＤＢ）５は、図４に示すように、アクセスポイントの設置場所、すなわち地域に対応付けてエリア番号を格納している。
【００２７】
本実施形態では、以下の２つの方式により移動端末Ｍ１〜Ｍｙの現在位置を取得するようになっている。
【００２８】
（ａ）ＳＮＭＰ　ＴＲＡＰ方式
無線ＬＡＮアクセスポイントＡＰ１〜ＡＰｎが移動端末Ｍ１〜Ｍｙのアソシエート成立を位置管理サーバ３へ通知する（アクセスポイントの設置場所、移動端末のＭＡＣアドレスを通知する）。なお、ＳＮＭＰ　ＴＲＡＰ方式のＴＲＡＰパケットフォーマットを図５に示す。
【００２９】
（ｂ）ＳＮＭＰポーリング方式
位置管理サーバ３が定期的に全アクセスポイントＡＰ１〜ＡＰｎにアソシエート中の移動端末を問い合わせる。各アクセスポイントＡＰ１〜ＡＰｎは、自身にアソシエート中の全移動端末のＭＡＣアドレスを位置管理サーバ３に通知する（アクセスポイントの設置場所、移動端末のＭＡＣアドレスを通知する）。なお、ＳＮＭＰポーリング方式のＧＥＴ　ＲＥＱＵＥＳＴパケットフォーマットを図６に示す。また、ＳＮＭＰポーリング方式のＧＥＴ　ＲＥＳＰＯＮＳＥパケットフォーマットを図７に示す。
【００３０】
位置管理サーバ３は、いずれの方式においても、該当ＭＡＣアドレスのユーザＩＤをデータベース（顧客ＤＢ）５から検索し、ユーザ毎に現在位置（アクセスポイントの場所）を記録する。
【００３１】
ここで、ＳＮＭＰ　ＴＲＡＰ方式とＳＮＭＰポーリング方式との違いについて説明する。ＳＮＭＰ　ＴＲＡＰ方式の場合には、端末がアクセスポイントにアソシエートしたときだけＴＲＡＰメッセージが位置管理サーバ３に送られるため、ポーリング方式に比べ、ＳＮＭＰパケットトラフィックが少なくて済む。しかしながら、端末とアクセスポイントとのアソシエートが解除されたときに、その情報が位置管理サーバ３に送られないため、本当に現時点で端末がアクセスポイントとアソシエートしているかどうかを判断するためには、位置管理ＤＢ４の現在位置更新日時と現在時刻とを比較したり、ポーリング方式と組み合わせてポーリングによって確認するなどの工夫が必要となる。一方、ポーリング方式の場合には、一定時間毎にポーリングを繰り返すため、ＳＮＭＰパケットトラフィックは多くなるが、現時点で端末がアクセスポイントとアソシエートしているかどうかを確実に判断できる。
【００３２】
Ｂ．実施形態の動作
次に、本実施形態の動作について詳細に説明する。
【００３３】
Ｂ−１．ＳＮＭＰ　ＴＲＡＰ方式
まず、ＳＮＭＰ　ＴＲＡＰ方式の動作について説明する。ここで、図８は、本実施形態によるＳＮＭＰ　ＴＲＡＰ方式の動作を説明するためのフローチャートである。まず、移動端末Ｍｉ（ｉ＝１〜ｙ）がアクセスポイントＡＰｊ（ｊ＝１〜ｎ）へアソシエート要求を出す（ステップＳ１）。次に、アクセスポイントＡＰｊが移動端末Ｍｉのアソシエートを許可する（ステップＳ２）。アクセスポイントＡＰｊは、ＳＮＭＰ　ＴＲＡＰにて自身の設置場所、移動端末ＭｉのＭＡＣアドレスを位置管理サーバ３へ通知する（ステップＳ３）。次に、位置管理サーバ３は、該当ＭＡＣアドレスのユーザＩＤをデータベース（顧客ＤＢ）５から検索し、ユーザＩＤに対応付けて現在位置（アクセスポイントＡＰｊの場所）を記録する（ステップＳ４）。
【００３４】
Ｂ−２．ＳＮＭＰポーリング方式
次に、ＳＮＭＰポーリング方式の動作について説明する。ここで、図９は、本実施形態によるＳＮＭＰポーリング方式の動作を説明するためのフローチャートである。まず、位置管理サーバ３は、ＳＮＭＰ　ＧＥＴ　ＲＥＱＵＥＳＴによって全アクセスポイントにアソシエート中の移動端末を問い合わせる（ステップＳ１０）。次に、各アクセスポイントＡＰｊ（ｊ＝１〜ｎ）は、ＳＮＭＰ　ＧＥＴＲＥＳＰＯＮＳＥによって自身の設置場所、自身にアソシエート中の全移動端末ＭｉのＭＡＣアドレスを位置管理サーバ３へ通知する（ステップＳ１１）。
【００３５】
位置管理サーバ３は、該当ＭＡＣアドレスのユーザＩＤをデータベース（顧客ＤＢ）５から検索し、ユーザＩＤに対応付けて現在位置（アクセスポイントＡＰｊの場所）を記録する（ステップＳ１２）。そして、一定時間経過したか否かを判断し（ステップＳ１３）、一定時間経過したならば、ステップＳ１０に戻り、上述した処理を繰り返す。
【００３６】
Ｂ−３．位置管理サーバのＳＮＭＰ受信パケット処理
次に、位置管理サーバのＳＮＭＰ受信パケット処理について説明する。ここで、図１０は、位置管理サーバのＳＮＭＰ受信パケット処理の動作を説明するためのフローチャートである。また、図１１は、位置管理サーバのＳＮＭＰ受信パケット処理の動作を説明するための概念図である。
【００３７】
位置管理サーバ３は、ＳＮＭＰパケットを受け取ると、受信パケットからアクセスポイントの設置場所と移動端末のＭＡＣアドレスとを取得する（ステップＳ２０）。次に、位置管理サーバ３は、図５に示すように、デーベース（顧客ＤＢ）５にアクセスし、移動端末のＭＡＣアドレスに対応するユーザＩＤを取得する（ステップＳ２１）。そして、位置管理サーバ３は、図５に示すように、位置管理ＤＢ４へアクセスし、取得したユーザＩＤ、現在位置（アクセスポイントの設置場所）および現在位置更新日時（位置管理サーバのシステム時間）を記録する（ステップＳ２２）。
【００３８】
Ｃ．具体例
次に、本実施形態による位置情報管理システムを適用した、広告配信システムについて説明する。ここで、図１２は、本実施形態による位置情報管理システムを適用した、広告配信システムの構成を示すブロック図である。なお、図１に対応する部分には同一の符号を付けて説明を省略する。図において、広告配信サーバ１０は、図１３に示すように、広告ＤＢ１１および顧客ＤＢ１２を備えている。広告配信サーバ１０は、広告情報をメールもしくはＷｅｂにより移動端末Ｍへ配信するメールサーバ機能、Ｗｅｂサーバ機能を備えている。
【００３９】
広告ＤＢ１１は、図１４に示すように、現在位置（アクセスポイントの設置場所）、広告店名および広告内容を記憶している。顧客ＤＢ１２は、図１５に示すように、ユーザＩＤ、パスワードおよびメールアドレスを記憶している。
【００４０】
次に、広告配信システムの動作について説明する。まず、メールサーバ機能により広告を配信する場合の動作について説明する。ここで、図１６は、広告配信システムのメールサーバ機能により広告を配信する場合の動作を説明するためのシーケンス図である。まず、広告配信サーバ（メールサーバ）１０は、位置管理サーバ３に対して、広告を配信しようとしているユーザＩＤの現在位置を問い合わせる（ＳＳ１）。位置管理サーバ３では、該当ユーザＩＤの現在位置更新日時と現在時刻（位置管理サーバのシステム時刻）とを比較し、端末が無線ＬＡＮを使用していることを確認すると、位置管理ＤＢ５から該当ユーザＩＤの現在位置を取得し（ＳＳ２）、広告配信サーバ１０へ送信する（ＳＳ３）。広告配信サーバ１０は、広告ＤＢ１１から該当現在位置に対応する広告店名、広告内容を取得・編集し（ＳＳ４）、さらに、顧客ＤＢ１２からユーザＩＤのメールアドレスを取得し（ＳＳ５）、上記広告内容を電子メールとしてメールアドレス宛てで配信する（ＳＳ６）。したがって、上記広告内容は、ユーザの現在位置に応じた広告となる。
【００４１】
次に、Ｗｅｂサーバ機能により広告を配信する場合の動作について説明する。ここで、図１７は、広告配信システムのＷｅｂサーバ機能により広告を配信する場合の動作を説明するためのシーケンス図である。まず、移動端末Ｍは、広告配信サーバ（Ｗｅｂサーバ）１０の広告配信用Ｗｅｂページにアクセスする（ＳＳ１０）。これに対して、広告配信サーバ１０は、ユーザＩＤ、パスワード入力画面を移動端末Ｍへ送信する（ＳＳ１１）。移動端末Ｍは、上記ユーザＩＤ、パスワード入力画面に対してユーザＩＤ、パスワードを入力する（ＳＳ１２）。広告配信サーバ１０は、顧客ＤＢ１２のユーザＩＤ、パスワードを用いてユーザ認証を行ない（ＳＳ１３）、認証ＯＫであるならば、該当ユーザＩＤの現在位置を、位置管理サーバ３に問い合わせる（ＳＳ１４）。
【００４２】
位置管理サーバ３は、位置管理ＤＢ５から上記ユーザＩＤに対応する現在位置を取得し（ＳＳ１５）、広告配信サーバ１０へ送信する（ＳＳ１６）。広告配信サーバ１０は、広告ＤＢ１１から上記現在位置に対応する広告店名および広告内容を取得し、現在位置に応じた広告のＷｅｂページを編集し（ＳＳ１７）、アクセスしてきた移動端末Ｍへ配信する（ＳＳ１８）。上記広告内容は、ユーザの現在位置に応じた広告となる。
【００４３】
また、位置管理サーバ３の機能、あるいは広告配信サーバ１０の機能は、図示しない記憶部に記憶されたプログラムを実行することで実現するようになっている。記憶部は、ハードディスク装置や光磁気ディスク装置、フラッシュメモリ等の不揮発性メモリやＲＡＭ（Ｒａｎｄｏｍ　Ａｃｃｅｓｓ　Ｍｅｍｏｒｙ）のような揮発性のメモリ、あるいはこれらの組み合わせにより構成されるものとする。また、上記記憶部とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含む。
【００４４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワークや電話回線等の通信回線のように情報を伝送する機能を有する媒体のことをいう。また、上記プログラムは、上述した処理の一部を実現するためのものであってもよい。さらに、上述した処理を位置管理サーバ３あるいは広告配信サーバ１０に既に記録されているプログラムとの組み合わせで実現できるもの、いわゆる差分ファイル（差分プログラム）であってもよい。
【００４５】
以上、この発明の実施形態を、図面を参照して詳述してきたが、具体的な構成は、上記実施形態に限られるものではなく、この発明の要旨を逸脱しない範囲の設計等も含まれる。
【００４６】
【発明の効果】
以上説明したように、本発明によれば、ネットワークを介して接続される移動端末の利用者を識別するためのユーザ識別情報毎に、前記移動端末を識別するためのアドレス情報を顧客情報記憶手段に、前記ユーザ識別情報毎に位置情報を位置情報記憶手段に記憶しておき、位置管理手段により、前記顧客情報記憶手段を参照して前記アクセスポイントから通知されるアドレス情報に対応するユーザ識別情報を特定し、該ユーザ識別情報に対応付けて前記位置情報記憶手段に記憶されている位置情報を、前記アクセスポイントから通知される位置情報で随時更新するようにしたので、無線ＬＡＮ移動端末の場所をリアルタイムで管理することができるという利点が得られる。
【図面の簡単な説明】
【図１】本発明の実施形態による位置情報管理システムの構成を示すブロック図である。
【図２】位置管理ＤＢ４のデータ構成を示す概念図である。
【図３】顧客ＤＢ５のデータ構成を示す概念図である。
【図４】地域とエリア番号との対応付けを示す概念図である。
【図５】ＳＮＭＰ　ＴＲＡＰ方式のＴＲＡＰパケットフォーマットを示す概念図である。
【図６】ＳＮＭＰポーリング方式のＧＥＴ　ＲＥＱＵＥＳＴパケットフォーマットを示す概念図である。
【図７】ＳＮＭＰポーリング方式のＧＥＴ　ＲＥＳＰＯＮＳＥパケットフォーマットを示す概念図である。
【図８】本実施形態によるＳＮＭＰ　ＴＲＡＰ方式の動作を説明するためのフローチャートである。
【図９】本実施形態によるＳＮＭＰポーリング方式の動作を説明するためのフローチャートである。
【図１０】位置管理サーバのＳＮＭＰ受信パケット処理の動作を説明するためのフローチャートである。
【図１１】位置管理サーバのＳＮＭＰ受信パケット処理の動作を説明するための概念図である。
【図１２】本実施形態による位置情報管理システムを適用した、広告配信システムの構成を示すブロック図である。
【図１３】広告配信サーバ１０のデータ構成を示す概念図である。
【図１４】広告ＤＢ１１のデータ構成を示す概念図である。
【図１５】顧客ＤＢ１２のデータ構成を示す概念図である。
【図１６】広告配信システムのメールサーバ機能により広告を配信する場合の動作を説明するためのシーケンス図である。
【図１７】広告配信システムのＷｅｂサーバ機能により広告を配信する場合の動作を説明するためのシーケンス図である。
【符号の説明】
Ｍ，Ｍ１〜Ｍｙ　移動端末
ＡＰ，ＡＰ１〜ＡＰｎ　無線ＬＡＮアクセスポイント
３　位置管理サーバ（位置管理手段、位置管理装置）
４　位置管理ＤＢ（位置情報記憶手段）
５　顧客ＤＢ（顧客情報記憶手段）
１０　広告配信サーバ（広告配信装置）
１１　広告ＤＢ（広告記憶手段）
１２　顧客ＤＢ（顧客情報記憶手段）
【図１】
2004088440.tif 000003
【図２】
2004088440.tif 000004
【図３】
2004088440.tif 000005
【図４】
2004088440.tif 000006
【図５】
2004088440.tif 000007
【図６】
2004088440.tif 000008
【図７】
2004088440.tif 000009
【図８】
2004088440.tif 000010
【図９】
2004088440.tif 000011
【図１０】
2004088440.tif 000012
【図１１】
2004088440.tif 000013
【図１２】
2004088440.tif 000014
【図１３】
2004088440.tif 000015
【図１４】
2004088440.tif 000016
【図１５】
2004088440.tif 000017
【図１６】
2004088440.tif 000018
【図１７】
2004088440.tif 000019